(57)【要約】      （修正有）【課題】執務者によるスイッチのオン／オフが不要となり、利便性が向上したパーソナル空調システムを提供する。【解決手段】各執務者が執務室内で常時保持するように配布され、唯一無二のＩＤによる識別情報を無線によって発信するＲＦＩＤタグと、ＲＦＩＤタグからの識別情報を受信することによって識別情報発信手段が存在する位置情報を取得するタグリーダと、執務者が利用するように割り当てられるデスク近傍を執務者個人専用に空調を行うパーソナル空調部と、各執務者が保持するＲＦＩＤタグの識別情報と、パーソナル空調部の位置情報である第１位置情報と、各執務者に近接するタグリーダの位置情報である第２位置情報と、各執務者が快適と感じる設定温度情報とを記憶する設定情報記憶部と、取得された位置に係る情報と、設定情報記憶部に記憶された情報に基づいて、パーソナル空調部のオンオフを制御する第１制御手段と、を有することを特徴とする。【選択図】図３
2009024906.tif 000002
【特許請求の範囲】
【請求項１】
各執務者が執務室内で常時保持するように配布され、唯一無二のＩＤによる識別情報を無線によって発信する識別情報発信手段と、
識別情報発信手段からの識別情報を受信することによって識別情報発信手段が存在する位置情報を取得する位置情報取得手段と、
執務者が利用するように割り当てられるデスク近傍を執務者個人専用に空調を行うパーソナル空調手段と、
各執務者が保持する識別情報発信手段の識別情報と、各執務者のパーソナル空調手段の位置情報である第１位置情報と、各執務者のパーソナル空調手段に近接する位置情報取得手段の位置情報である第２位置情報と、各執務者が快適と感じるパーソナル空調手段の設定温度情報とを少なくとも記憶する設定情報記憶手段と、
位置情報取得手段によって取得された識別情報発信手段の位置に係る情報と、前記設定情報記憶手段に記憶された情報に基づいて、パーソナル空調手段のオンオフを制御する第１制御手段と、を有することを特徴とするパーソナル空調システム。
【請求項２】
執務者が利用するように割り当てられるデスク近傍に設けられ執務者個人の温冷感を入力する温冷感入力手段と、
執務者が利用するように割り当てられるデスク近傍に設けられ執務者近傍の温度を計測する個人環境計測手段と、
温冷感入力手段による入力と、個人環境計測手段による計測結果とを比較して、前記設定情報記憶手段の設定温度情報を変更する第２制御手段と、を有することを特徴とする請求項１に記載のパーソナル空調システム。
【請求項３】
前記識別情報発信手段がパーソナルハンディフォンシステム又は／及び携帯電話であることを特徴とする請求項1又は請求項２に記載のパーソナル空調システム。
【請求項４】
前記識別情報発信手段がＲＦＩＤタグであることを特徴とする請求項1又は請求項２に記載のパーソナル空調システム。
【請求項５】
前記温冷感入力手段と、前記個人環境計測手段とは執務者が利用するように割り当てられるデスクに設置されたパーソナルコンピュータに接続されることを特徴とする請求項２乃至請求項４に記載のパーソナル空調システム。
【発明の詳細な説明】
【技術分野】
【０００１】
本発明は、執務者ごとに設けられたパーソナル用の吹き出し口が各個人の執務スペースに設けられており、執務者の温熱感を反映した快適な室内環境を実現するパーソナル空調システムに関する。
【背景技術】
【０００２】
オフィス等に用いられるパーソナル空調は、オフィスにおける各執務者のデスク近傍にそれぞれの空調吹き出し口等の空調手段を設けるものであり、このようなパーソナル空調によれば、執務者の温熱感に合わせて空調を行うことが可能となる。
【０００３】
このようなパーソナル空調としては、例えば、
特許文献１（特開２００７−１５５２２２号公報）には、室内が、床から立ち上げられたパーティションに囲まれた上方に開放するタスク域と、当該タスク域に隣接するアンビエント域に区画され、前記タスク域内のみ空調されていることを特徴とするパーソナル空調システムが開示されている。
【特許文献１】特開２００７−１５５２２２号公報
【発明の開示】
【発明が解決しようとする課題】
【０００４】
利便性や快適性向上のためにパーソナル空調の制御を自動化することが提案されている。その際、各デスク近傍のパーソナル空調制御のオン／オフは、執務者によるスイッチのオン／オフもしくは人感センサ等の利用が考えられている。しかしながら、前者の場合ではスイッチの操作の煩雑さ、さらに消し忘れによる無駄なエネルギー消費の問題がある。後者の場合では、人感センサを利用することによりスイッチ操作の煩雑さや消し忘れといった問題は解消するが、別途人感センサを配置するなどの問題が発生する。
【０００５】
ところで近年においては、無線通信タグシステム、ＰＨＳシステムなどにより執務者の在不在を検出する技術がオフィス等に導入されつつある。このようなシステムでは、執務者の位置情報を検出することができ、このような情報を有効的に活用しようとする試みもあるが、これをパーソナル空調とリンクさせる提案はこれまでになされていなかった。
【課題を解決するための手段】
【０００６】
この発明は、上記課題を解決するものであって、そのために、請求項１に係る発明は、各執務者が執務室内で常時保持するように配布され、唯一無二のＩＤによる識別情報を無線によって発信する識別情報発信手段と、識別情報発信手段からの識別情報を受信することによって識別情報発信手段が存在する位置情報を取得する位置情報取得手段と、執務者が利用するように割り当てられるデスク近傍を執務者個人専用に空調を行うパーソナル空調手段と、各執務者が保持する識別情報発信手段の識別情報と、各執務者のパーソナル空調手段の位置情報である第１位置情報と、各執務者のパーソナル空調手段に近接する位置情報取得手段の位置情報である第２位置情報と、各執務者が快適と感じるパーソナル空調手段の設定温度情報とを少なくとも記憶する設定情報記憶手段と、位置情報取得手段によって取得された識別情報発信手段の位置に係る情報と、前記設定情報記憶手段に記憶された情報に基づいて、パーソナル空調手段のオンオフを制御する第１制御手段と、を有することを特徴とするパーソナル空調システムである。
【０００７】
また、請求項２に係る発明は、請求項１に記載のパーソナル空調システムにおいて、執務者が利用するように割り当てられるデスク近傍に設けられ執務者個人の温冷感を入力する温冷感入力手段と、執務者が利用するように割り当てられるデスク近傍に設けられ執務者近傍の温度を計測する個人環境計測手段と、温冷感入力手段による入力と、個人環境計測手段による計測結果とを比較して、前記設定情報記憶手段の設定温度情報を変更する第２制御手段と、を有することを特徴とする。
【０００８】
また、請求項３に係る発明は、請求項1又は請求項２に記載のパーソナル空調システムにおいて、前記識別情報発信手段がパーソナルハンディフォンシステム又は／及び携帯電話であることを特徴とする。
【０００９】
また、請求項４に係る発明は、請求項1又は請求項２に記載のパーソナル空調システムにおいて、前記識別情報発信手段がＲＦＩＤタグであることを特徴とする。
【００１０】
また、請求項５に係る発明は、請求項２乃至請求項４に記載のパーソナル空調システムにおいて、前記温冷感入力手段と、前記個人環境計測手段とは執務者が利用するように割り当てられるデスクに設置されたパーソナルコンピュータに接続されることを特徴とする。
【発明の効果】
【００１１】
本発明のパーソナル空調システムによれば、空調の制御が執務者位置情報とリンクした構成となっているので、執務者によるスイッチのオン／オフが不要となり、利便性が向上する。また、執務者位置情報を取得するために、近年オフィスに導入されつつある無線通信タグシステム、ＰＨＳシステムを用いることができるので、既にこれらのシステムを有するオフィスに本発明を導入することは比較的簡単に行うことが可能である。
【発明を実施するための最良の形態】
【００１２】
以下、本発明の実施の形態を図面を参照しつつ説明する。図1は本発明の実施の形態に係るパーソナル空調システムの執務室における模式的な構成を示す図であり、図２は本発明の実施の形態に係るパーソナル空調システムのデスク近傍の斜視図である。図１及び図２において、１０は床部、１１は吸気チャンバ、２０は天井部、２１は還気チャンバ、３０はデスク、１００はパーソナル空調部、１１０は吹き出し口、１２０は温冷感入力部、１３０は個人環境計測部、１５０はパーソナル空調用パーティション、１５１は吹き出し口、２００はタグリーダ、５００はパーソナルコンピュータ、７００はＲＦＩＤタグをそれぞれ示している。
【００１３】
本発明の実施の形態に係るパーソナル空調システムが導入されている執務室内は、床部１０から立ち上げられたパーソナル空調用パーティション１５０により、各個人の執務スペースとアンビエント域（人の滞在が非定常であるスペース）に仕切られている。室内は全面床吹出し空調とされており、二重床とされた床下が吸気チャンバ１１として利用される。一方、天井部２０には不図示の吸気口が設けられており、天井部２０より上は還気チャンバ２１として利用される。床部１０は、通気性ＯＡフロアと、その上に敷きつめられた通気性タイルカーペットから構成されている。また、
本発明のパーソナル空調システムでは、執務者ごとに設けられたパーソナル用の吹き出し口１１０が各個人の執務スペースの床部１０に設けられており、執務者の温熱感を反映した快適な室内環境を実現することができる。また、パーソナル空調用パーティション１５０には吸気チャンバ１１からの吸気を受けて、執務者の温熱感に応じ、これを吹き出し口１５１から排気する構成が採用されている。
【００１４】
各執務者の執務スペースに設けられるデスク３０には、一般的なパーソナルコンピュータ５００が載置されている。このパーソナルコンピュータ５００は、執務者が執務に用いる目的以外に、各執務者の温冷感に係る情報を収集したり、執務スペースにおける計測温度の係る情報を収集したりする目的にも利用される。各パーソナルコンピュータ５００は、例えばローカルエリアネットワークなどに接続されてなり、後述する主制御部にこれらの温冷感に係る情報、計測温度の係る情報を送信するようになっている。
【００１５】
温冷感入力部１２０は、執務者が暑いと感じるときに押下するボタンと、寒いと感じるときに押下するボタンの２つを備え、各執務者の温冷感に係る情報を収集することができるようになっている。また、個人環境計測部１３０は、執務スペースの例えばパーソナル空調用パーティション１５０に取り付けられ、執務スペースの温度を計測して、計測結果をパーソナルコンピュータ５００に送信することができるようになっている。
【００１６】
これらの温冷感入力部１２０や個人環境計測部１３０などのデバイスをパーソナルコンピュータ５００に接続するためのインターフェイスとしては、ユニバーサルシリアルバス（ＵＳＢ）を用いることが望ましい。ＵＳＢを用いることで、温冷感入力部１２０や個人環境計測部１３０からのデータ取得が可能となると同時に、温冷感入力部１２０や個人環境計測部１３０への電源供給も可能となるからである。
【００１７】
ＲＦＩＤタグ７００は、各執務者が執務室内で常時保持するように配布されているものであり、唯一無二のＩＤによる識別情報を無線によって発信する識別情報発信手段としての役割を果たす。近年、ユビキタスネットワーク社会の主要なデバイスの一つとして、通信可能距離が比較的大きなアクティブ型ＲＦＩＤタグが、人の位置情報にも利用され始めており、本発明においてもこのようなアクティブ型のものを用いることが望ましい。
【００１８】
タグリーダ２００は、上記のＲＦＩＤタグ７００からのＩＤ情報を受信するものであり、これによって、ＲＦＩＤタグ７００が存在する位置―すなわち、ＲＦＩＤタグ７００を保持する執務者の位置―に係る情報を取得する位置情報取得手段として機能する。
【００１９】
なお、本発明においては、上記のような識別情報発信手段、位置情報取得手段としては、アクティブ型ＲＦＩＤタグによるシステム以外にも、パーソナルハンディフォンシステム、或いは携帯電話も利用することが可能である。さらには、パーソナルハンディフォンシステムと携帯電話との組み合わせからなるシステムを用いてもよい。
【００２０】
次に本発明のパーソナル空調システムの全体的な構成について説明する。図３は本発明の実施の形態に係るパーソナル空調システムのシステム構成を示す図である。図３において、１００はパーソナル空調部、２００はタグリーダ、３００は主制御部、４００は設定情報記憶部、５００はパーソナルコンピュータをそれぞれ示している。
【００２１】
パーソナル空調部１００は、各執務者の執務スペース分だけの数が設定されており、本実施形態では計Ｙの執務スペースが用意されているものとする。このようなパーソナル空調部１００それぞれは、主制御部３００によって温度制御、総風量制御を行い得るようになっている。なお、各執務者のデスクの位置ＤにはＤ＝００１、Ｄ＝００２、Ｄ＝００３、・・・、Ｄ＝Ｙなどの区画名が割り付けられているものとし、このデスクの位置に対応して、パーソナル空調部１００が対応しているものとする。
【００２２】
ＲＦＩＤタグ７００からのＩＤに係る無線信号を受信するタグリーダ２００は、デスク等の配置に関わりなく配置されており、Ｚのものが配置されているものとする。このタグリーダ２００には、それぞれ固有の識別番号であるＲが割り当てられており、本実施形態では、Ｒ＝００１、Ｒ＝００２、Ｒ＝００３、・・・、Ｒ＝Ｚの識別番号を有するタグリーダ２００が用いられているものとする。
【００２３】
主制御部３００は、ＣＰＵなどの中央演算装置やＲＯＭなどの書き換え不能な記憶素子、ＲＡＭなどの書き換え可能な記憶素子、ＨＤＤなどの太容量記憶装置、キーボードやポインティングデバイスなどの入力機器、モニタ、印刷装置などの外部出力機器機、ネットワーク接続機器機などの周辺装置などからなる汎用の情報処理機構であり、例えば一般的なパーソナルコンピュータなどのシステムを用いることができる。主制御部３００は、それぞれの構成と協働することによって、本発明におけるパーソナル空調システムのための処理・制御を行うものである。このようなパーソナル空調システムの制御・処理のためのプログラムはＲＯＭなどの書き換え不能な記憶素子やＨＤＤなどの太容量記憶装置などに書き込んでおく。主制御部３００において、このようなプログラムを実行することにより、本発明のパーソナル空調システムの機能を実現することができる。
【００２４】
設定情報記憶部４００は、各執務者が保持するＲＦＩＤタグ７００の識別情報と、各執務者のパーソナル空調部１００の位置情報（Ｄ＝００１、Ｄ＝００２、Ｄ＝００３、・・・、Ｄ＝Ｙ）と、各執務者のパーソナル空調部１００に最も近接するタグリーダ２００の位置情報（Ｒ＝００１、Ｒ＝００２、Ｒ＝００３、・・・、Ｒ＝Ｚ）と、各執務者が快適と感じるパーソナル空調部１００の設定温度情報とを少なくとも記憶するものである。このような設定情報記憶部４００の記憶内容につきより詳しく説明する。図４は本発明の実施の形態に係るパーソナル空調システムの設定情報記憶部のデータ構造を示す図である。図４に示すように、例えば、設定情報記憶部４００は、「タグＩＤ」とそのＩＤのＲＦＩＤタグ７００を常時保持するように配布されている「執務者氏名」、及び「執務者用パーソナル空調部の位置」、その執務者用パーソナル空調部の位置から「最も近いタグリーダ」、そしてその執務者にとっての「許容最高温度Ｔｕ」、「許容最低温度Ｔｌ」が、各執務者毎にデータベース化されている。
【００２５】
例えば、ＩＤ＝００００３のＲＦＩＤタグ７００が配布されている執務者氏名は加藤次郎で、その氏名の者のパーソナル空調部の位置はＤ＝００３として定義されて位置であり、その位置から最も近いタグリーダ２００の識別番号はＲ＝００２であり、加藤次郎氏の許容最高温度Ｔｕは２７．５℃で、許容最低温度Ｔｌは１９．６℃である、というように設定情報記憶部４００を参照することができる。
【００２６】
パーソナルコンピュータ５００は各執務者の執務スペースに設けられるデスク３０に配されているので、各執務者のデスクの位置Ｄと同じように、Ｄ＝００１、Ｄ＝００２、Ｄ＝００３、・・・、Ｄ＝Ｙのようにそれぞれを識別することが可能である。
【００２７】
これらのパーソナルコンピュータ５００のそれぞれに設けられている温冷感入力部１２０及び個人環境計測部１３０から、主制御部３００にこれらの温冷感に係る情報、計測温度の係る情報が送信されるようになっている。
【００２８】
なお、本発明のパーソナル空調システムのためのシステム構成は、図３に記載のものに限定されるものではなく、種々の態様があり得る。例えば、図３に示すように、主制御部３００とパーソナルコンピュータ５００とは１対多のように接続されている必要は必ずしもなく、ハブやルーターなどの周知のネットワーク機器を用いて適宜接続すればよい。
【００２９】
以上のように構成されるパーソナル空調システムにおける制御フローについて説明する。図５は本発明の実施の形態に係るパーソナル空調システムのパーソナル空調制御のフローチャートを示す図である。
【００３０】
図５において、ステップＳ１００でパーソナル空調制御処理が開始されると、次に、ステップＳ１０１に進み、タグリーダスキャン処理のサブルーチンを実行する。続いて、ステップＳ１０２  で、パーソナル空調部オン／オフ処理のサブルーチンを実行し、さらに、ステップＳ１０３において、設定温度変更処理のサブルーチンを実行する。ステップＳ１０４では、パーソナル空調システム全体のシャットダウンか否かが判定される。ステップＳ１０４における判定結果がＮＯであるときにはステップＳ１０１に戻り、ステップＳ１０４における判定結果がＹＥＳであるときにはステップ１０５に進み、パーソナル空調制御処理を終了する。
【００３１】
次に、前記の各サブルーチン−タグリーダスキャン処理のサブルーチン、パーソナル空調部オン／オフ処理のサブルーチン、設定温度変更処理のサブルーチン−について説明する。
【００３２】
図６は本発明の実施の形態に係るパーソナル空調システムのパーソナル空調部オン／オフ処理のサブルーチンのフローチャートを示す図である。
【００３３】
図６において、ステップＳ２００でタグリーダスキャン処理が開始されると、次にステップＳ２０１にすすみ、変数ＲにＲ＝０をセットする。次に、ステップＳ２０２において、識別番号がＲのタグリーダ２００でＲＦＩＤタグ７００を検知したか否かが判定される。ステップＳ２０２における判定の結果がＹＥＳであるときにはステップＳ２０３に進み、ステップＳ２０２における判定の結果がＮＯであるときにはステップＳ２０５に進む。
【００３４】
ステップＳ２０３では、取得されたＲＦＩＤタグ７００のＩＤである「ｇｅｔＩＤ」を用いて、変数（Ｒ，ＩＤ）に現在の「Ｒ」の値と「ｇｅｔＩＤ」の値とを代入する。ステップＳ２０２における判定の結果がＮＯであるとき進むステップＳ２０５では、変数（Ｒ，ＩＤ）に現在の「Ｒ」の値とＩＤ＝０（ヌル）とが代入される。
【００３５】
次のステップＳ２０４では、Ｒ＞Ｚであるか否かが判定され、判定の結果がＮＯであると、ステップＳ２０６に進み、Ｒが１インクリメントされる。ステップＳ２０４の判定の結果がＹＥＳであるときにはステップＳ２０７に進み、タグリーダスキャン処理を終了し、リターンする。
【００３６】
次に、パーソナル空調部オン／オフ処理のサブルーチンについて説明する。図７は本発明の実施の形態に係るパーソナル空調システムのパーソナル空調部オン／オフ処理のサブルーチンのフローチャートを示す図である。
【００３７】
図７において、ステップＳ３００で、パーソナル空調部オン／オフ処理が開始されると、次に、ステップＳ３０１に進み、Ｒに０をセットする。
【００３８】
次にステップＳ３０２では、変数（Ｒ，ＩＤ）が設定情報記憶部４００に記憶されている設定情報とマッチするか否かが判定される。このような設定情報と合っているか否かとは、例えば、変数（Ｒ，ＩＤ）＝（００２，００００３）を得られているとして、これが図４のデータ構造の行に存在するか否かを判定するものである。
【００３９】
ステップＳ３０２の判定の結果がＹＥＳであるときにはステップＳ３０３に進み、ステップＳ３０２の判定の結果がＮＯであるときにはステップＳ３０５に進む。
【００４０】
ステップＳ３０３では、変数（Ｒ，ＩＤ）に対応するパーソナル空調Ｄをオンとする。図４のデータ構造では、例えば、変数（Ｒ，ＩＤ）＝（００２，００００３）であるときには、Ｄ＝００３のパーソナル空調部をオンとする。このステップでは、ＲＦＩＤタグ７００を所持した執務者が自らのデスク３０の近くにいることが判明している時に到達するステップであるので、このようにパーソナル空調部をオンとするのである。なお、パーソナル空調部１００をオンとした後には、パーソナル空調部１００は設定情報記憶部４００に記憶されている各執務者個人の設定温度に基づいた温度制御・風量調整制御などが行われる。
【００４１】
ステップＳ３０２の判定の結果がＮＯであるとき進むステップＳ３０５では、ＲＦＩＤタグ７００を所持した執務者が自らのデスク３０の近くにいない時に到達するステップであるので、対応するパーソナル空調Ｄをオフとする。
【００４２】
次のステップＳ３０４では、Ｒ＞Ｚであるか否かが判定され、判定の結果がＮＯであると、ステップＳ３０６に進み、Ｒが１インクリメントされる。ステップＳ３０４の判定の結果がＹＥＳであるときにはステップＳ３０７に進み、タグリーダスキャン処理を終了し、リターンする。
【００４３】
以上のように本発明のパーソナル空調システムによれば、ＲＦＩＤタグ７００を所持した執務者が自らのデスク３０の近くにいるか否かによって、その執務者のパーソナル空調部がオン／オフされるように制御される。すなわち、本発明のパーソナル空調システムによれば、空調の制御が執務者位置情報とリンクした構成となっているので、執務者によるパーソナル空調部のスイッチのオン／オフが不要となり、利便性が向上する。また、執務者位置情報を取得するために、近年オフィスに導入されつつある無線通信タグシステム、ＰＨＳシステムを用いることができるので、既にこれらのシステムを有するオフィスに本発明を導入することは比較的簡単に行うことが可能である。
【００４４】
なお、本発明は特に上記に示したようなアルゴリズムを用いる必要はなく、本発明の主旨を逸脱しない種々のアルゴリズムを用いることができる。例えば、本実施形態では、デスク３０に最近接するタグリーダ２００のみを勘案するものとなっているが、これを他のタグリーダ２００に広がるようにしてもかまわない。要は、本発明の機能を実現するための種々のバリエーションが存在し得る。
【００４５】
次に、設定温度変更処理のサブルーチンについて説明する。図８は本発明の実施の形態に係るパーソナル空調システムの設定温度変更処理のサブルーチンのフローチャートを示す図である。
【００４６】
図３において、ステップＳ４００で、設定温度変更処理が開始されると、次にステップＳ４０１に進み、変数Ｄに０をセットする。
【００４７】
次に、ステップＳ４０２に進み、温冷感入力部１２０からの入力があったかどうかが判定される。ステップＳ４０２の判定結果がＹＥＳであるときには、ステップＳ４０３に進み、ステップＳ４０２の判定結果がＮＯであるときには、ステップＳ４０５に進む。
【００４８】
ステップＳ４０３では、温冷感入力部１２０による入力と個人環境計測部１３０による計測値に応じて設定情報記憶部４００に記憶されている「許容最高温度Ｔｕ」、「許容最低温度Ｔｌ」の設定温度を変更する。具体的に、設定温度をどの程度変更するかに係るためのアルゴリズムについては周知のものを用いることができる。なお、ここでは、温冷感入力部１２０と個人環境計測部１３０とからの情報に基づいて設定温度を変更するようにしているが、さらにアンビエント温度などの情報を勘案し設定温度を変更するようにしてもよい。
【００４９】
ステップＳ４０２の判定結果がＮＯであるときに進むステップＳ４０５では、設定情報記憶部４００に記憶されている「許容最高温度Ｔｕ」、「許容最低温度Ｔｌ」の設定温度を変更しない。
【００５０】
次のステップＳ４０４では、Ｄ＞Ｙであるか否かが判定され、判定の結果がＮＯであると、ステップＳ４０６に進み、Ｄが１インクリメントされる。ステップＳ４０４の判定の結果がＹＥＳであるときにはステップＳ４０７に進み、設定温度変更処理を終了し、リターンする。
【００５１】
次に、パーソナル空調部１００における吹き出し口周辺の機構について説明する。図９は本発明の実施の形態に係るパーソナル空調システムのパーソナル空調用パーティションの斜視図である。
図９において、１５１は吹き出し口、１５２はダクト入り口部、１５３はダンパー、１５４はダンパー制御部をそれぞれ示している。ダンパー制御部１５４は、主制御部３００からの指令を受けてダンパー１５３を調節することによって、吹き出し口１５１からの吹き出し量を調整する。
【００５２】
図１０は本発明の実施の形態に係るパーソナル空調システムの吹き出し口１１０の斜視図であり、同図において１１１は吹き出し口制御部を示している。吹き出し口制御部１１１は主制御部３００からの指令を受けて吹き出し口１１０の開度等の調整を行う。これによって、各執務者の好みの温度に調節することが可能となる。
【００５３】
また、図１１本発明の他の実施の形態に係るパーソナル空調システムのパーソナル空調用パーティションの斜視図である。図１１において、１５５はファン、１５６はファン制御部を示しており、ファン制御部１５５は、主制御部３００からの指令を受けてファン１５５の回転を調節することによって、吹き出し口１５１からの吹き出し量を調整する。
【００５４】
図１２は本発明の他の実施の形態に係るパーソナル空調システムのパーソナル空調用パーティションの斜視図である。図１２において、１５７は輻射パネル、１５８は輻射パネル制御部を示しており、輻射パネル制御部１５８は、主制御部３００からの指令を受けて輻射パネル１５７の輻射を調節することによって、各執務者の好みに応じた輻射暖房の制御を行う。
【００５５】
なお、以上の実施の形態においては、執務者が1つの執務スペースを割り当てられているものとして説明したが、本発明のパーソナル空調システムによれば、フリーアドレスオフィスのように執務スペースが変わっても、パーソナル空調部が個人に合わせて制御されるような設定とすることもできる。
【図面の簡単な説明】
【００５６】
【図１】本発明の実施の形態に係るパーソナル空調システムの執務室における模式的な構成を示す図である。
【図２】本発明の実施の形態に係るパーソナル空調システムのデスク近傍の斜視図である。
【図３】本発明の実施の形態に係るパーソナル空調システムのシステム構成を示す図である。
【図４】本発明の実施の形態に係るパーソナル空調システムの設定情報記憶部のデータ構造を示す図である。
【図５】本発明の実施の形態に係るパーソナル空調システムの制御用のフローチャートを示す図である。
【図６】本発明の実施の形態に係るパーソナル空調システムのタグリーダスキャン処理のサブルーチンのフローチャートを示す図である。
【図７】本発明の実施の形態に係るパーソナル空調システムのパーソナル空調部オン／オフ処理のサブルーチンのフローチャートを示す図である。
【図８】本発明の実施の形態に係るパーソナル空調システムの設定温度変更処理のサブルーチンのフローチャートを示す図である。
【図９】本発明の実施の形態に係るパーソナル空調システムのパーソナル空調用パーティションの斜視図である。
【図１０】本発明の実施の形態に係るパーソナル空調システムの吹き出し口１１０の斜視図である。
【図１１】本発明の他の実施の形態に係るパーソナル空調システムのパーソナル空調用パーティションの斜視図である。
【図１２】本発明の他の実施の形態に係るパーソナル空調システムのパーソナル空調用パーティションの斜視図である。
【符号の説明】
【００５７】
１０・・・床部、１１・・・吸気チャンバ、２０・・・天井部、２１・・・還気チャンバ、３０・・・デスク、１００・・・パーソナル空調部、１１０・・・吹き出し口、１１１・・・吹き出し口制御部、１２０・・・温冷感入力部、１３０・・・個人環境計測部、１５０・・・パーソナル空調用パーティション、１５１・・・吹き出し口、１５２・・・ダクト入り口部、１５３・・・ダンパー、１５４・・・ダンパー制御部、１５５・・・ファン、１５６・・・ファン制御部、１５７・・・輻射パネル、１５８・・・輻射パネル制御部、２００・・・タグリーダ、３００・・・主制御部、４００・・・設定情報記憶部、５００・・・パーソナルコンピュータ、７００・・・ＲＦＩＤタグ
【図１】
2009024906.tif 000003
【図２】
2009024906.tif 000004
【図３】
2009024906.tif 000005
【図４】
2009024906.tif 000006
【図５】
2009024906.tif 000007
【図６】
2009024906.tif 000008
【図７】
2009024906.tif 000009
【図８】
2009024906.tif 000010
【図９】
2009024906.tif 000011
【図１０】
2009024906.tif 000012
【図１１】
2009024906.tif 000013
【図１２】
2009024906.tif 000014